(57)【要約】【課題】本発明は、表示する画像の内容を変化させることなく表示画像全体を表示し、かつ表示画像の焼き付きを抑制した表示装置の提供を目的とする。【解決手段】本発明に係る表示装置１００は、入力される画像データ１０を表示する表示装置１００であって、画像データ１０の解像度よりも余分な画素領域を有する表示可能画素領域３ｂを備える表示用デバイス３と、画像データ１０の画像３ａの表示位置座標を、画像３ａが表示可能画素領域３ｂからはみ出ない範囲で変化させる表示位置変化部２とを備え、表示可能画素領域３ｂにおける画像データ１０が表示されない画素領域に、任意の画像を表示することを特徴とする。【選択図】図１
2014048558.tif 000002
【特許請求の範囲】
【請求項１】
入力される画像データを表示する表示装置であって、
前記画像データの解像度よりも余分な画素領域を有する表示可能画素領域を備える表示用デバイスと、
前記画像データの画像の表示位置座標を、前記画像が前記表示可能画素領域からはみ出ない範囲で変化させる表示位置変化部と、
を備え、
前記表示可能画素領域における前記画像データが表示されない画素領域に、任意の画像を表示することを特徴とする、
表示装置。
【請求項２】
前記表示可能画素領域の縦方向および横方向の画素領域は、前記画像データの解像度よりも２画素以上大きいことを特徴とする、
請求項１に記載の表示装置。
【請求項３】
前記任意の画像は、黒色の画像であることを特徴とする、
請求項１または２に記載の表示装置。
【請求項４】
前記表示位置変化部は、前記変化を一定の時間間隔で行うことを特徴とする、
請求項１〜３のいずれかに記載の表示装置。
【発明の詳細な説明】
【技術分野】
【０００１】
本発明は表示装置に関し、特に、焼き付きを抑制しつつ入力される画像データを表示する表示装置に関する。
【背景技術】
【０００２】
一般に、ＣＲＴ、プラズマディスプレイ、液晶ディスプレイ（ＬＣＤ）などの表示装置は、静止画像を長時間連続して表示すると、焼き付きなどの問題が発生することがある。従来、焼き付きを防止するために、スクリーンセーバーを使用するのが一般的であった。
【０００３】
ただし、スクリーンセーバーは、元々表示している静止画像とはまったく違った画像を表示するため、表示案内や装置の情報表示など、長時間静止画像を表示することを前程とした使い方には適さない。
【０００４】
そこで、見かけ上は静止画像であるが、その空間的表示位置を使用者が気付かない程度に変化させることによって焼き付きを抑制する技術が考案されている。
【０００５】
例えば、特許文献１では、表示装置に表示する画像の表示位置を、数ピクセルの単位で一定時間毎に変化させている。また、特許文献２では、表示装置に表示する画像の表示位置を、サブピクセル単位で時間的に変化させている。また、特許文献３では、表示装置の表示可能画素範囲において、表示画像を拡大して表示する領域および縮小して表示する領域を設け、これらの領域の拡大縮小率を時間的に変化させることで、焼き付きを抑制している。
【先行技術文献】
【特許文献】
【０００６】
【特許文献１】特開２０００−２２７７７５号公報
【特許文献２】特開２００５−１０７１３２号公報
【特許文献３】特開２００６−４８０６８号公報
【発明の概要】
【発明が解決しようとする課題】
【０００７】
上述の特許文献１および特許文献２の技術では、表示画像の表示位置を変化させることで、表示する画像の一部が表示装置の表示可能画素領域からはみ出してしまい、画像の一部が表示されない問題がある。
【０００８】
また、上述の特許文献３の技術では、表示する画像が部分的に拡大・縮小されて表示されるため、元の画像の内容と異なる情報が観察者に提示される可能性がある。
【０００９】
本発明は以上の問題を解決するためになされたものであり、表示する画像の内容を変化させることなく表示画像全体を表示し、かつ表示画像の焼き付きを抑制した表示装置の提供を目的とする。
【課題を解決するための手段】
【００１０】
本発明に係る表示装置は、入力される画像データを表示する表示装置であって、画像データの解像度よりも余分な画素領域を有する表示可能画素領域を備える表示用デバイスと、画像データの画像の表示位置座標を、当該画像が表示可能画素領域からはみ出ない範囲で変化させる表示位置変化部とを備え、表示可能画素領域における画像データが表示されない画素領域に、任意の画像を表示することを特徴とする。
【発明の効果】
【００１１】
本発明に係る表示装置によれば、表示用デバイスの表示可能画素領域において、画像データの画像の表示位置を変化させることで、表示用デバイスへの焼き付きを抑制することが可能である。
【００１２】
また、画像データの画像の表示位置を、表示可能画素領域からはみ出ない範囲で変化させることで、画像データの内容を損なうことなく、観察者に提示することが可能である。
【００１３】
また、本発明に係る表示装置は、表示可能画素領域における画像データが表示されない画素領域に任意の画像を表示可能である。よって、この領域に黒色の画像を表示すれば、画像データの画像の視認性を良好に保つことが可能である。
【図面の簡単な説明】
【００１４】
【図１】本発明の実施の形態に係る表示装置の機能ブロック図である。
【図２】本発明の実施の形態に係る表示装置の駆動制御部の機能ブロック図である。
【図３】本発明の実施の形態に係る表示装置の表示可能画素領域を示す図である。
【図４】本発明の実施の形態に係る表示装置における画像データの表示位置の変化を示す図である。
【発明を実施するための形態】
【００１５】
＜構成＞
図１に、本実施の形態における表示装置１００の機能ブロック図を示す。本実施の形態における表示装置１００は、表示装置１００に入力される画像データ１０を表示する表示用デバイス３と、表示用デバイス３の表示可能画素領域３ｂ内において画像データ１０の表示位置を変化させるための表示位置変化部２を備える。
【００１６】
また、本実施の形態における表示装置１００は、表示位置変化部２からの出力に基づいて、画像データ１０の表示位置を変化させて表示用デバイス３に出力する、表示画像データ生成部１をさらに備える。なお、表示装置１００に入力される画像データ１０は、静止画像を含む映像データであるとする。
【００１７】
表示位置変化部２は、画像データ１０の表示位置を変化させるために必要な情報を記憶する内部メモリ６と、内部メモリ６に記憶された情報を参照して、画像データ１０の表示位置を調整する表示位置調整部５と、表示位置調整部５を駆動制御する駆動制御部４を備える。駆動制御部４は、カウンタ４ａと比較部４ｂを備える（図２）。
【００１８】
表示用デバイス３は、一般的な表示用デバイスに採用される画素配列であるＸＧＡ（１０２４×７６８）やＳＶＧＡ（８００×６００）などを基準とした画素領域に加えて、長手方向にＭ画素、短手方向にＮ画素ずつ多く拡張画素が設けられている。
【００１９】
表示装置１００に入力される画像データ１０の解像度として、例えば図３に示すように、ＸＧＡ（１０２４×７６８）を想定する場合、表示用デバイス３の表示可能画素領域３ｂは、（１０２４＋Ｍ）×（７６８＋Ｎ）となる。ここで、拡張画素数Ｍ，Ｎの値は、５〜１０程度が好ましい。
【００２０】
図３に示す様に、表示可能画素領域３ｂ左上を原点（０，０）として、画像データ１０の画像３ａの左上の座標を（Δｘ，Δｙ）と表す。なお、画像データ１０の画像３ａを表示可能画素領域３ｂからはみ出すことなく表示するために、Δｘ，Δｙはそれぞれ０以上かつＭ，Ｎ以下である必要がある。
【００２１】
内部メモリ６には、画像データ１０の画像３ａの表示位置の変化を制御するために、画像データ１０の画像３ａの表示位置（Δｘ，Δｙ）に対応した＃０〜＃Ｌの座標が記憶されている。画像データ１０の画像３ａの表示位置変化は、＃０から＃Ｌまで順に行われ、＃Ｌの後は＃０に戻るとする。つまり、表示位置の変化は、Ｌ＋１回で１周期となる。Ｌは２以上に設定される。＃０〜＃Ｌの座標は任意に決定することが可能だが、表示可能画素領域３ｂ内全体を移動するために、（０，０），（Ｍ，０），（Ｍ，Ｎ），（０，Ｎ）を含むことが好ましい。表１にその一例を示す。また、図４（ａ）〜（ｉ）に、表１の＃０〜＃８のそれぞれに対応する画像データ１０の画像３ａの表示位置を示す。また、内部メモリ６には、拡張画素数Ｍ，Ｎの値も記憶されている。
【００２２】
【表１】
2014048558.tif 000003
【００２３】
＜画像データの表示位置変化動作＞
本実施の形態では、表示装置１００に入力される画像データ１０の解像度として、ＸＧＡを想定する。なお、ＸＧＡとは異なる解像度の画像データ１０が入力された場合には、表示装置１００に備わる解像度変換部（図示せず）により、ＸＧＡに変換されてから、表示画像データ生成部１および表示位置変化部２に入力される。
【００２４】
以下で、表示位置変化部２の動作について説明する。表示位置変化部２に入力された画像データ１０は、駆動制御部４に入力される。駆動制御部４は、画像データ１０に含まれる垂直同期信号を検出して、表示位置調整部５に一定の時間間隔でトリガ信号２０を出力する。
【００２５】
図２を用いて、駆動制御部４の動作を説明する。駆動制御部４に入力された画像データ１０は、カウンタ４ａに入力される。カウンタ４ａは、画像データ１０に含まれる垂直同期信号をカウントして、カウント数を比較部４ｂへ出力する。
【００２６】
比較部４ｂはカウンタ４ａから入力されたカウント数と、予め表示位置変化部２内に記憶されている画像位置変化周期とを比較する。カウント数が画像位置変化周期に達した場合、比較部４ｂは、トリガ信号２０を表示位置調整部５に出力するとともに、カウンタ４ａのカウント数をゼロに戻す。なお、表示位置変化周期は、時間に換算して数分前後に設定するのが好ましい。
【００２７】
次に、表示位置調整部５の動作について説明する。表示位置調整部５は、内部メモリ６に記憶されている、表１における＃０から＃８の座標のいずれかを参照して、表示位置制御データ３０として、表示画像データ生成部１へ出力する。駆動制御部４から表示位置調整部５にトリガ信号２０が入力されると、参照される番号が繰り上げられ、それに伴って表示位置制御データ３０が更新される。
【００２８】
例えば、表示装置１００の動作開始時において、表示位置調整部５が表示位置制御データ３０として表１の＃０の座標を参照しているとする。この状態で、表示位置調整部５にトリガ信号２０が入力されると、表示位置制御データ３０は、＃０から＃１に更新される。
【００２９】
このように、表示位置調整部５にトリガ信号２０が入力されるたびに、表１の＃０から＃８へ向かって表示位置制御データ３０が更新される。なお、＃８を参照している状態でトリガ信号２０が入力された場合は＃０へ戻るとする。
【００３０】
次に、表示画像データ生成部１の動作について説明する。表示画像データ生成部１には、画像データ１０と、表示位置調整部５からの表示位置制御データ３０が入力される。まず、画像データ１０が入力されると、画像データ１０は図示しない記憶部に記憶される。次に、表示画像データ生成部１は、表示位置変化部２に備わる内部メモリ６に記憶されている、拡張画素数Ｍ，Ｎを参照する。次に、表示位置制御データ３０と、Ｍ，Ｎの値とから（Δｘ，Δｙ）を演算する。例えば、Ｍ，Ｎが１０であり、表示位置制御データ３０が（Ｍ／２，Ｎ／２）である場合には、（Δｘ，Δｙ）＝（５，５）となる。
【００３１】
表示画像データ生成部１は、この（Δｘ，Δｙ）に基づいて、記憶した画像データ１０の表示位置を決定する。また、表示可能画素領域３ｂにおいて、画像データ１０の画像３ａが表示されない領域、即ちブランキング領域３ｃ（図３参照）に表示する画像として、任意の画像データが付加される。
【００３２】
以上の様にして、表示画像データ生成部１において表示画像データ４０が生成され、表示用デバイス３に出力される。表示用デバイス３は、表示画像データ生成部１から入力される表示画像データ４０を表示する。
【００３３】
以上で述べた動作によって、本実施の形態における表示装置１００は、図３（ａ）〜（ｉ）に示す順序に従って、一定の時間間隔で、表示可能画素領域３ｂ内において画像データ１０の画像３ａの表示位置を変化させる。
【００３４】
なお、前述の様に、表示可能画素領域３ｂにおいて、画像データ１０の画像３ａが表示されない領域、即ちブランキング領域３ｃには、任意の画像を表示することが可能である。よって、ブランキング領域３ｃに黒色の画像を表示すれば、画像データ１０の画像３ａの視認性を良好に保つことが可能である。
【００３５】
なお、本実施の形態では、図３に示した様に画像データ１０の画像３ａの表示位置を、Ｍ／２もしくはＮ／２ずつ変化させたが、表示位置の変化のさせ方はこれに限定されない。また、表示位置変化において、１回の移動量は数画素程度が好ましく、また、図３の様に、表示可能画素領域３ｂ内を順に移動していくのが好ましい。
【００３６】
＜効果＞
本実施の形態における表示装置１００は、入力される画像データ１０を表示する表示装置１００であって、画像データ１０の解像度よりも余分な画素領域を有する表示可能画素領域３ｂを備える表示用デバイス３と、画像データ１０の画像３ａの表示位置座標を、画像３ａが表示可能画素領域３ｂからはみ出ない範囲で変化させる表示位置変化部２とを備え、表示可能画素領域３ｂにおける画像データ１０が表示されない画素領域、即ちブランキング領域３ｃに、任意の画像を表示することを特徴とする。
【００３７】
従って、表示用デバイス３の表示可能画素領域３ｂにおいて、画像データ１０の画像３ａの表示位置を変化させることで、表示用デバイス３への焼き付きを抑制することが可能である。
【００３８】
また、画像データ１０の画像３ａの表示位置を、表示可能画素領域３ｂからはみ出ない範囲で変化させることで、画像データ１０の内容を損なうことなく、観察者に提示することが可能である。
【００３９】
また、本実施の形態における表示装置１００は、ブランキング領域３ｃに任意の画像を表示可能である。よって、ブランキング領域３ｃに黒色の画像を表示すれば、画像データ１０の画像３ａの視認性を良好に保つことが可能である。
【００４０】
また、本実施の形態に係る表示装置１００において、表示可能画素領域３ｂの縦方向および横方向の画素数は、画像データ１０の解像度よりも２画素以上大きいことを特徴とする。
【００４１】
従って、拡張画素数Ｍ，Ｎを２以上とすることで、画像データ１０の画像３ａは、表示可能画素領域３ｂ内において上下左右の４方向全てに、少なくとも１画素分の表示位置変化を行うことができるため、焼き付きを抑制する効果をより確実に得ることが可能である。
【００４２】
本実施の形態に係る表示装置１００において、表示可能画素領域３ｂにおける画像３ａが表示されない画素領域、即ちブランキング領域３ｃに表示される任意の画像は、黒色の画像であることを特徴とする。従って、ブランキング領域３ｃに表示する画像を黒色とすることで、画像データ１０の画像３ａが暗い画像である場合であっても、画像３ａの視認性を良好に保つことが可能である。
【００４３】
また、本実施の形態に係る表示装置１００において、表示位置変化部２が、画像データ１０の画像３ａの表示位置の変化を一定の時間間隔で行うことを特徴とする。従って、一定の時間間隔で画像データ１０の画像３ａの表示位置を変化させることにより、ある画素に同じ画像が表示され続けることをより確実に避けることができるため、より効果的に焼き付きを抑制することが可能である。
【００４４】
なお、本発明は、その発明の範囲内において、実施の形態を適宜、変形、省略することが可能である。
【符号の説明】
【００４５】
１  表示画像データ生成部、２  表示位置変化部、３  表示用デバイス、３ａ  画像、３ｂ  表示可能画素領域、３ｃ  ブランキング領域、４  駆動制御部、４ａ  カウンタ、４ｂ  比較部、５  表示位置調整部、６  内部メモリ、１０  画像データ、２０  トリガ信号、３０  表示位置制御データ、４０  表示画像データ、１００  表示装置。
【図１】
2014048558.tif 000004
【図２】
2014048558.tif 000005
【図３】
2014048558.tif 000006
【図４】
2014048558.tif 000007